(57)【要約】      （修正有）【課題】生命を出来る限り救うことができる地震救助支援装置を提供する。【解決手段】マイクロ制御チップ１０と、バッテリ１とを備える地震救助支援装置であって、マイクロ制御チップ１０には、バッテリ１から給電され、運動センサ２と、赤外線人体検知器３と、収音マイクロホン４と、ＷｉＦｉ無線アンテナ５と、ＬＥＤ灯６とが接続される。運動センサ２は、地震の揺れを感知すると共に、電子信号に変換しマイクロ制御チップ１０へ出力し、赤外線人体検知器３と、収音マイクロホン４とを通じて人の音声を検知すると共に、ＷｉＦｉ無線アンテナ５を経て信号を送信、ＬＥＤ灯６を点灯発光させるように制御する。地震の揺れと断電を感知した後、人体を検知すると共に、信号を送信し、携帯電話などに受信し、適時に地震を知らせ、地震後、人体を主動的に検知すると共に、遭難信号を発信することで、容易に現場人員が高能率で捜索救助、情報の統計を行うことにより、迅速に高能率で救助を実現することができる。【選択図】図１
0003210281.tif 000002
【実用新案登録請求の範囲】
【請求項１】
マイクロ制御チップと、バッテリとを備える地震救助支援装置であって、
前記バッテリは、前記マイクロ制御チップに給電し、前記マイクロ制御チップに少なくとも運動センサと、赤外線人体検知器と、収音マイクロホンと、ＷｉＦｉ無線アンテナと、ＬＥＤ灯とが接続され、これにより、前記運動センサは、地震の揺れを感知すると共に、電子信号に変換してから前記マイクロ制御チップへ出力し、前記マイクロ制御チップは、前記赤外線人体検知器と、前記収音マイクロホンとを通じて人体及び音声を検知すると共に、前記ＷｉＦｉ無線アンテナを経て信号を送信し、所定の端末設備に受信すると同時に、前記マイクロ制御チップは、前記ＬＥＤ灯を点灯発光させるように制御することを特徴とする地震救助支援装置。
【請求項２】
前記バッテリは、電源管理器と、変圧器とを経て商用電源と接続され、前記ＬＥＤ灯は、前記バッテリと前記変圧器との何れか一方から選択的に給電され、前記マイクロ制御チップは、前記電源管理器を通じて断電を感知した後、電灯制御モジュールを通じて前記ＬＥＤ灯を普通の１／２輝度の方式で点灯して点滅発光させるように制御することを特徴とする、請求項１に記載の地震救助支援装置。
【請求項３】
前記マイクロ制御チップの型番が８８ＭＷ３０２であり、前記マイクロ制御チップは、センサ駆動モジュールを経て前記運動センサと、前記赤外線人体検知器と、前記収音マイクロホンとが接続され、及び前記マイクロ制御チップは、無線モジュールを経て前記ＷｉＦｉ無線アンテナと接続されることを特徴とする、請求項１または請求項２に記載の地震救助支援装置。
【請求項４】
前記センサ駆動モジュール中にエレクトレットを内蔵することにより、前記マイクロ制御チップで人の音声の分析判断を実現することを特徴とする、請求項３に記載の地震救助支援装置。
【請求項５】
前記電源管理器に型番がＢＱ２４１９５であるチップＵ２を内装し、前記チップＵ２は、前記マイクロ制御チップと接続されることを特徴とする、請求項２に記載の地震救助支援装置。
【考案の詳細な説明】
【技術分野】
【０００１】
本考案は、地震救助支援装置に関するものであり、さらに詳しくは、生命捜索救助装置の技術分野における地震被災者を対象とする救助支援装置に関するものである。
【背景技術】
【０００２】
近時、地震が頻繁に発生するにつれて、人の生命財産に対する危害が益々顕著になってきている。一旦地震が発生すると、避難するには、わずか数秒の時間しかなく、人に十分な準備時間を与えることができないので、地震が発生した後、一刻を争う救助と一刻を争う地震を知らせるニュースを必要とし、人の生命の生存期間内に生存するための必要物資を供給し、地震の被災者が合理的に自己救助を行うように指導し、地震の被災者に救出を支援する装置を提供することができれば、生命を出来る限り救うことができる。
【０００３】
現状において、地震発生後、生命捜索救助に用いる検知工具としては、主に、以下のように、光ファイバ撮像検知器、音波検知器、赤外線熱画像検知器、レーダ検知器および災害救助犬などの種類が挙げられる。
【０００４】
光ファイバ撮像検知器は、光ファイバの可撓性を利用して瓦礫の隙間に挿入して目視できない場所を探索し、光ファイバを利用して光学図形を伝送して情報収集することによって図形を得り、瓦礫の下にいる被災者を探すことができる。
【０００５】
音波検知器は、高感度音波センサと、データ捕捉と、コンピュータ処理ソフトウェアとから構成され、一定の範囲内の瓦礫の中から生存する生命が発する微弱なな呼吸と声、微小なたたきによる震動などの音波を収集することによって生命のおおよその位置を判定し発見することができる。
【０００６】
赤外線熱画像検知器は、人体の赤外線放射特性と周囲環境の赤外線放射特性との間に存在する特定の差異を利用して、人体と環境とを区別して図形で表現したものであり、煙霧中、暗黒の空間中の生命捜索に適用できる。
【０００７】
レーダ生命探査器は、レーダ信号発送器を通じて連続的に超広帯域電磁信号を発射し、一定の空間に対して走査し、受信器が絶えずに反射信号を受信すると共に、帰還信号に対して演算法処理を行うことにより、低周波の呼吸運動とその他のより高い周波数の運動とを区別することができ、極めて微弱な運動を非常に鋭敏に捕捉することができるため、被検知者の呼吸運動あるいは移動を測定することによって、瓦礫の下に生存する生命の有無を判定することができ、透過能力が高く、より実用的な生命捜索救助機器である。
【０００８】
捜索救助犬は、地震などの災害時において常用的かつ高能率な救助に役立つ優れた手段であると考えられる。
【０００９】
上記の捜索救助工具のいずれも、各自に適用できる環境と範囲を有し、それぞれメリットとデメリットがあるので、捜索救助作業において共通して使用でき、利点相補を実現することができる。その共通の欠点は、１台あたりの価格が高く、専門家による操作を必要とし、突発的な地震などの大災害に遭遇した時、有効救助を短時間に実施しなければならず、また、大量の当該種類の生命検知設備を取得することができず、生命捜索救助効率が低くなることにつながるという問題が指摘されてきた。
【考案の概要】
【考案が解決しようとする課題】
【００１０】
従って、本考案の課題は、適時に地震を知らせ、地震発生後、人体を主動的に検知すると共に、遭難信号を発信することにより、生命を出来る限り救うことができる地震救助支援装置を提供することにある。
【課題を解決するための手段】
【００１１】
そこで、本考案者らは、前記の本考案の課題を解決するための鋭意検討を重ねた結果、前記の構成をとることに着目し、かかる知見に基いて本考案に想到するに至った。
かくして、本考案の要旨は、次の１）〜５）に示す通りである。
【００１２】
１）マイクロ制御チップと、バッテリとを備える地震救助支援装置であって、
前記バッテリは、前記マイクロ制御チップに給電し、前記マイクロ制御チップに少なくとも運動センサと、赤外線人体検知器と、収音マイクロホンと、ＷｉＦｉ無線アンテナと、ＬＥＤ灯とが接続され、これにより、前記運動センサは、地震の揺れを感知すると共に、電子信号に変換してから前記マイクロ制御チップへ出力し、前記マイクロ制御チップは、前記赤外線人体検知器と、前記収音マイクロホンとを通じて人体及び音声を検知すると共に、前記ＷｉＦｉ無線アンテナを経て信号を送信し、所定の端末設備に受信すると同時に、前記マイクロ制御チップは、前記ＬＥＤ灯を点灯発光させるように制御することを特徴とする地震救助支援装置。
【００１３】
２）前記バッテリは、電源管理器と、変圧器とを経て商用電源と接続され、前記ＬＥＤ灯は、前記バッテリと前記変圧器との何れか一方から選択的に給電され、前記マイクロ制御チップは、前記電源管理器を通じて断電を感知した後、電灯制御モジュールを通じて前記ＬＥＤ灯を普通の１／２輝度の方式で点灯して点滅発光させるように制御することを特徴とする、前記（１）に記載の地震救助支援装置。
【００１４】
３）前記マイクロ制御チップの型番が８８ＭＷ３０２であり、前記マイクロ制御チップは、センサ駆動モジュールを経て前記運動センサと、前記赤外線人体検知器と、前記収音マイクロホンとが接続され、及び前記マイクロ制御チップは、無線モジュールを経て前記ＷｉＦｉ無線アンテナと接続されることを特徴とする、請求項１または前記（２）に記載の地震救助支援装置。
【００１５】
４）前記センサ駆動モジュール中にエレクトレットを内蔵することにより、前記マイクロ制御チップで人の音声の分析判断を実現することを特徴とする、前記（３）に記載の地震救助支援装置。
【００１６】
５）前記電源管理器に型番がＢＱ２４１９５であるチップＵ２を内装し、前記チップＵ２は、前記マイクロ制御チップと接続されることを特徴とする、前記（２）に記載の地震救助支援装置。
【考案の効果】
【００１７】
現有の製品技術に比べ、本考案の有益な効果は、以下の通りである。本考案に係る地震救助支援装置は、地震の揺れと断電を感知した後、人体を検知すると共に、信号を送信し、携帯電話などの端末設備に受信し、適時に地震を知らせ、地震発生後、人体を主動的に検知すると共に、遭難信号を発信することで、容易に現場人員が高能率で捜索救助、情報の統計を行うことにより、迅速に高能率で救助を実現することから、生命を出来る限り救うことができ、また、本考案に係る地震救助支援装置は構造が簡単で、実用性が高いものである。
【図面の簡単な説明】
【００１８】
【図１】本考案の好適な実施形態に係る地震救助支援装置のブロック図である。
【図２Ａ】本考案の一実施形態に係る地震救助支援装置のマイクロ制御チップの好適な実施例の電気回路図である。
【図２Ｂ】本考案の一実施形態に係る地震救助支援装置の電源管理器の好適な実施例の電気回路図である。
【図２Ｃ】本考案の一実施形態に係る地震救助支援装置のエレクトレットの好適な実施例の電気回路図である。
【図２Ｄ】本考案の一実施形態に係る地震救助支援装置の運動センサの好適な実施例の電気回路図である。
【図２Ｅ】本考案の一実施形態に係る地震救助支援装置のバッテリの好適な実施例の電気回路図である。
【図２Ｆ】本考案の一実施形態に係る地震救助支援装置のＬＥＤ灯の好適な実施例の電気回路図である。
【図２Ｇ】本考案の一実施形態に係る地震救助支援装置の赤外線人体検知器の好適な実施例の電気回路図である。
【考案を実施するための形態】
【００１９】
図１及び図２Ａ〜図２Ｇに示す本考案の好適な実施例のブロック図と電気回路図を参照して本考案について以下に詳述する。本考案に係る地震救助支援装置は、マイクロ制御チップ１０と、バッテリ１とを備える。バッテリ１（図２Ｅ参照）は、マイクロ制御チップ１０に給電を供給し、バッテリ１が電力を出力する時、ＩＣを経由して安定な電圧出力を提供する。マイクロ制御チップ１０に少なくとも運動センサ２と、赤外線人体検知器３と、収音マイクロホン４と、ＷｉＦｉ無線アンテナ５と、ＬＥＤ灯６とが接続される。これにより、運動センサ２は、地震の揺れを感知すると共に、電子信号に変換してからマイクロ制御チップ１０へ出力し、マイクロ制御チップ１０は、赤外線人体検知器３と、収音マイクロホン４とを通じて人体及び音声を検知すると共に、ＷｉＦｉ無線アンテナ５を経て信号を送信し、携帯電話などの端末設備に受信すると同時に、マイクロ制御チップ１０は、電灯制御モジュール６１を通じてＬＥＤ灯６を点灯発光させるように制御し、夜間での照明提示を実現することができる。運動センサ２が３軸運動センサである場合、三次元空間の位置状態に対して反応を起こすセンサは、重力によって伝達感知することができる。
【００２０】
同時に図２Ｄを参照すると、運動センサ２は、外界から伝達された物理的入力を受けてセンサを通じて電子信号に変換してから最終的に有用な情報に変換することが可能となる。その主要な感知方式は、例えば、抵抗値、容量値、応力、変形や変位などのいくつかの微小な物理量の変化に対して測定を行ってから、電圧信号を通じてこれらの変化量を表示する。図２Ｄは、運動センサ２の電気回路の実施模式図であり、主に、ＩＣに合わせて抵抗とコンデンサなどの素子を組み合わせてから、出力・入力端などを経由して物理量の変化を受けて測定を行う。図２Ｄにおいて、出力・入力端は１、２、６や７などのピンの位置であってもよい。このようにして、地震救助支援装置は、地震の揺れと断電を感知した後、人体を主動的に検知すると共に、信号を送信し、携帯電話などの端末設備に受信し、適時に地震を知らせると共に、迅速かつ正確に高能率で遭難信号を提供すると共に、救助を支援することができ、生命を出来る限り救うことができる。
【００２１】
図１及び図２に示すように、本実施例において、かかるバッテリ１は、電源管理器７と、変圧器８とを経て商用電源と接続され、ＬＥＤ灯６（図２Ｆ参照）は、バッテリ１と変圧器８との何れか一方から選択的に給電され、図中にＬＥＤ灯６の電気回路概略図が表示されており、ＬＥＤと、電流制限抵抗と、トランジスタスイッチ電気回路とを含み、平時に光センサは、環境輝度を検出し、夜になると自動的に点灯させることができ、常夜灯機能を得ることができる。
【００２２】
電源管理器７（図２Ｂ参照）に型番がＢＱ２４１９５であるチップＵ２を内装し、チップＵ２は、マイクロ制御チップ１０と接続され、チップＵ２の周辺に、それぞれマイクロ制御チップ１０、運動センサ２、赤外線人体検知器３、収音マイクロホン４、ＷｉＦｉ無線アンテナ５及びＬＥＤ灯６の作動時に必要な電圧に合わせて、電圧安定、スイッチ制御、電圧出力などを行う電子電気回路が接続される。マイクロ制御チップ１０は、電源管理器７を通じて断電を感知した後、電灯制御モジュール６１を通じてＬＥＤ灯６を普通の１／２輝度の方式で点灯して点滅発光させるように制御することで、発光時間を延長して遭難信号を生成し、地震後の救助を支援するのに役立つ。
【００２３】
図１と図２Ａ〜２Ｇに示すように、本実施例において、かかるマイクロ制御チップ１０の型番が８８ＭＷ３０２であり（図２Ａ参照）、マイクロ制御チップ１０は、センサ駆動モジュール９を経て運動センサ２と、赤外線人体検知器３と、収音マイクロホン４とが接続され、及びマイクロ制御チップ１０は、無線モジュール５１を経てＷｉＦｉ無線アンテナ５と接続される。かかるセンサ駆動モジュール９中にエレクトレット９１を内蔵し、図２Ｃに示すように、それはエレクトレット９１の電子電気回路構造を表示し、それによって収音マイクロホン４を強化させることで、マイクロ制御チップ１０で人が発する音声の分析判断を実現する。前記地震救助支援装置は、震動があると感知して商用電源が断電すると、人体を検知し始め、下記の２種の検知方式を採用する。
【産業上の利用可能性】
【００２４】
（検知方式１）
赤外線人体検知器３（図２Ｇに示すように、赤外線人体検知器３の好適な実施態様を表示し、赤外線感知ＩＣを有すると共に、赤外線感知ＩＣの動作時に必要な電気回路構成を表示）は、主に、移動する人体を検知し、人が手を振ったり動かしたりする動作をすれば、いずれも検知することが可能になる。いずれかを検知した時、ＨＥＬＰ遭難信号（ＨＥＬＰ信号の後ろに４桁の１６進コードを付加することによって識別）を発信する。
【００２５】
（検知方式２）
収音マイクロホン４は、人声を検出し、生存者が発する救助を求める声の範囲内の信号（ベースバンドを利用して計算し、人の音声か否かを判断）がある場合、支援器が人声があると検知した後、ＨＥＬＰ＋４桁の１６進コードのＷｉＦｉ遭難信号を発信する。
【００２６】
（無線設計）
ＷｉＦｉ信号を増強させ、室外から遠く２５０メートル離れた場所や地下３０メートルの深さまでも（鉄筋コンクリートと障害物を含む）、遭難信号を受信することができる。
【００２７】
以上、実施方式を合わせて本考案について詳細に説明してきたが、それらは単に本考案の技術的着想及び特長を説明するためのものに過ぎず、その目的は当業者が本考案の内容を理解してこれに基づいて実施できるようにすることである。即ち、本考案の精神に沿って実質的に行う同等効果の変更または修飾は、全て本考案の保護範囲に含まれるものである。
【符号の説明】
【００２８】
１：バッテリ
１０：マイクロ制御チップ
２：運動センサ
３：赤外線人体検知器
４：収音マイクロホン
５：ＷｉＦｉ無線アンテナ
５１：無線モジュール
６：ＬＥＤ灯
６１：電灯制御モジュール
７：電源管理器
８：変圧器
９：センサ駆動モジュール
９１：エレクトレット
【図１】
0003210281.tif 000003
【図２Ａ】
0003210281.tif 000004
【図２Ｂ】
0003210281.tif 000005
【図２Ｃ】
0003210281.tif 000006
【図２Ｄ】
0003210281.tif 000007
【図２Ｅ】
0003210281.tif 000008
【図２Ｆ】
0003210281.tif 000009
【図２Ｇ】
0003210281.tif 000010